(57)【要約】      （修正有）【課題】隣接チャンネルからの妨害電力が存在する場合において、周波数ダイバーシティ効果を最大限に発揮でき、隣接チャンネル妨害に対する耐性が向上し、安定した受信を可能とする。【解決手段】同一のデータ群をＮ回（Ｎは２以上の整数）送信し、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる。【選択図】図８
2014039089.tif 000002
【特許請求の範囲】
【請求項１】
ＯＦＤＭ方式を用いた送信装置であって、
同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調部を有し、
前記サブキャリア変調部は、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とするＯＦＤＭ送信装置。
【請求項２】
前記Ｎは２である、
請求項１記載のＯＦＤＭ送信装置。
【請求項３】
前記サブキャリア変調部は、ＯＦＤＭ１シンボルのサブキャリアをＮ分割し、それぞれの分割したサブキャリアに対し、同一のデータ群を割り当てる、
請求項１記載のＯＦＤＭ送信装置。
【請求項４】
前記サブキャリア変調部は、１つの前記データ群を１つのＯＦＤＭシンボルに割り当て、Ｎ個のＯＦＤＭシンボルを用いて、Ｎ回の同一のデータ群を割り当てる、
請求項１記載のＯＦＤＭ送信装置。
【請求項５】
前記サブキャリア変調部は、前記Ｎ回のうち、少なくとも一回において、サブキャリアに割り当てる信号を複素共役にする、
請求項１記載のＯＦＤＭ送信装置。
【請求項６】
前記センターサブキャリアを中心として、反対の順序に割り当てるデータ群に対し、複素共役にして割り当てる、
請求項５記載のＯＦＤＭ送信装置。
【請求項７】
前記サブキャリア変調部は、前記同一データを、さらにサブキャリアのＩ軸（同相成分）及びＱ軸（直交成分）の両軸を用いて繰返し送信できるようにマッピングし、
前記Ｉ軸およびＱ軸のマッピングは、それぞれ異なるサブキャリアのＩ軸およびＱ軸に対してマッピングする、
請求項１記載のＯＦＤＭ送信装置。
【請求項８】
前記サブキャリア変調部は、前記データ群をＭ個（Ｍは２以上）のグループに別け、所定のシンボルで前記データ群を割り当て、前記所定のシンボル以外のＭ個のシンボルに対し、前記Ｍ個のグループを一つずつ割り当てる、
請求項１記載のＯＦＤＭ送信装置。
【請求項９】
前記Ｎは２であり、前記Ｍは２であり、
前記所定のシンボル以外のＭ個のシンボルは、前記所定のシンボルの前後のシンボルである、
請求項８記載のＯＦＤＭ送信装置。
【請求項１０】
同一のデータ群をＮ回（Ｎは２以上の整数）送信する送信信号を、受信する受信部を含み、
前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とするＯＦＤＭ受信装置。
【請求項１１】
前記送信信号は、既知のプリアンブル信号をフレームの先頭に含み、
前記受信部は、前記プリアンブルを基に伝送路特性の推定を実施する伝送路特性推定部と、
前記プリアンブルを基に所望の帯域内に存在する妨害信号を検出する妨害検出部と、
前記Ｎ回の同一のデータに関し、合成または選択し、波形等化を行う合成等化部と、を有し、
前記合成等化部において、前記合成または選択は、前記伝送路特性推定部で推定した伝送路特性と、前記妨害検出部で検出した妨害信号検出結果との少なくとも一方を用いる、
請求項１０記載のＯＦＤＭ受信装置。
【請求項１２】
前記送信信号は、前記Ｎ回のデータ群をサブキャリアへ割り当てるうち、少なくとも一回において、データ群を複素共役にしてサブキャリアに割り当て、
前記受信部は、相関算出部を有し、
前記相関算出部は、ＯＦＤＭシンボル長遅延させた信号と遅延させていない信号とを乗算することで相関を算出し、ＯＦＤＭシンボル長に渡って区間積分を実施する、
請求項１０記載のＯＦＤＭ受信装置。
【請求項１３】
前記送信信号は、既知のプリアンブル信号をフレームの先頭に含み、
さらに、前記同一データ群を、サブキャリアのＩ軸（同相成分）およびＱ軸（直交成分）の両軸を用いてさらに繰返し送信できるようにマッピングし、
前記Ｉ軸およびＱ軸のマッピングは、それぞれ異なるサブキャリアのＩ軸およびＱ軸に対してマッピングし、
前記受信部は、前記プリアンブルを基に伝送路特性の推定を実施する伝送路特性推定部と、
前記プリアンブルを基に所望の帯域内に存在する妨害信号を検出する妨害検出部と、
前記Ｎ回の同一のデータに関し、サブキャリア毎に、合成または選択し、波形等化を行う合成等化部と、
前記Ｉ軸およびＱ軸の同一データ群に対し、Ｉ軸情報とＱ軸情報を合成または選択するＩＱ合成部と、を有し、
前記合成等化部において、前記合成または選択は、前記伝送路特性推定部で推定した伝送路特性と、前記妨害検出部で検出した妨害信号検出結果との少なくとも一方を用い、
前記ＩＱ合成部において、前記Ｉ軸およびＱ軸の合成または選択は、前記伝送路特性推定部で推定した伝送路特性と、前記妨害検出部で検出した妨害信号検出結果との少なくとも一方を用いる、
請求項１０記載のＯＦＤＭ受信装置。
【請求項１４】
前記受信部は、シンボル間の位相回転を算出するＣＰＥ算出部を有し、
前記ＣＰＥ算出部は、前記センターサブキャリアを中心として反対の順序に割り当てたデータ群の少なくとも一部の信号と、それ以外のＮ−１のデータ群のうち少なくとも一つのデータ群の少なくとも一部の信号とを用いて、前記シンボル間の位相回転を算出する、
請求項１０記載のＯＦＤＭ受信装置。
【請求項１５】
ＯＦＤＭ方式を用いた送信装置であって、
同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調部を有し、
前記サブキャリア変調部は、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、
ことを特徴とするＯＦＤＭ送信装置。
【請求項１６】
ＯＦＤＭ方式を用いた送信方法であって、
同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調ステップを有し、
前記サブキャリア変調ステップは、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とするＯＦＤＭ送信方法。
【請求項１７】
ＯＦＤＭ方式を用いた送信回路であって、
同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調回路を有し、
前記サブキャリア変調回路は、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とするＯＦＤＭ送信回路。
【請求項１８】
ＯＦＤＭ方式を用いた送信プログラムであって、
同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調ステップを有し、
前記サブキャリア変調ステップは、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とする、ＯＦＤＭ送信装置に実行させるプログラム。
【請求項１９】
同一のデータ群をＮ回（Ｎは２以上の整数）送信する送信信号を、受信する受信ステップを含み、
前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とするＯＦＤＭ受信方法。
【請求項２０】
同一のデータ群をＮ回（Ｎは２以上の整数）送信する送信信号を、受信する受信回路を含み、
前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とするＯＦＤＭ受信回路。
【請求項２１】
同一のデータ群をＮ回（Ｎは２以上の整数）送信する送信信号を、受信する受信ステップを含み、
前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、
ことを特徴とする、ＯＦＤＭ受信装置に実行させるプログラム。
【請求項２２】
ＯＦＤＭ方式を用いた送信方法であって、
同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調ステップを有し、
前記サブキャリア変調ステップは、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、
ことを特徴とするＯＦＤＭ送信方法。
【請求項２３】
ＯＦＤＭ方式を用いた送信回路であって、
同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調回路を有し、
前記サブキャリア変調回路は、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、
ことを特徴とするＯＦＤＭ送信回路。
【請求項２４】
ＯＦＤＭ方式を用いた送信プログラムであって、
同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調ステップを有し、
前記サブキャリア変調ステップは、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、
ことを特徴とする、ＯＦＤＭ送信装置に実行させるプログラム。
【発明の詳細な説明】
【技術分野】
【０００１】
本願発明は、ＯＦＤＭのように複数のキャリアを多重して送信する送信装置または送信回路、当該送信装置が実施する送信方法、プログラム、さらには、当該ＯＦＤＭで送信された信号を受信する受信装置または受信回路、当該受信装置が実施する受信方法、プログラムに関するものである。
【背景技術】
【０００２】
現在、地上デジタル放送をはじめＩＥＥＥ８０２．１１ａといった様々なデジタル通信において、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が伝送方式として広く採用されている。ＯＦＤＭ方式は、複数の狭帯域デジタル変調信号を互いに直交する複数のサブキャリアを用いて周波数多重して送信する方式であることから、周波数の利用効率に優れた伝送方式である。
【０００３】
また、ＯＦＤＭ方式では、１シンボル区間が有効シンボル区間とガードインターバル区間とからなり、シンボル内で周期性を有するように有効シンボル区間の一部の信号をガードインターバル区間に複写して挿入されている。このため、マルチパス干渉によって生じるシンボル間の干渉の影響を削減することが可能であり、マルチパス干渉に対しても優れた耐性を有している。
【０００４】
これまで、ＩＥＥＥ８０２．１１における無線ＬＡＮ規格の取り組みとしては、屋内通信をメインターゲットとし、物理層の規格として１１ｂ（最大１１Ｍｂｐｓ）、１１ａおよび１１ｇ（最大５４Ｍｂｐｓ）、１１ｎ（最大６００Ｍｂｐｓ）、１１ａｃ（最大６．９Ｇｂｐｓ）と主に伝送容量の増大を主点とした規格の追加が続いている。一方で、スマートグリットを実現するためのスマートメーターの検討が本格化しており、それに伴い、屋外における低レート伝送の必要性も高まってきており、このような用途に向けた特定小電力無線の使用可能な周波数の割り当てなどの議論も続いている。これらの背景から、サブＧＨｚ帯を用いた新たな通信規格策定へ向けた検討が始まり、ＩＥＥＥ８０２．１１においても１ＧＨｚ以下の周波数帯を用いた無線ＬＡＮ規格を検討内容としたＴＧａｈが２０１０年に立ち上がっている。ＴＧａｈにおける主な要求仕様は、「データレート１００ｋｂｐｓ・最大伝送距離１ｋｍ」である。
【０００５】
ＴＧａｈにおいては、この要求仕様を満たすべく、従来の無線ＬＡＮ規格からの技術変更案が各社から提案されている。中でも、ローパワー出力による伝送距離１ｋｍを確保するには、従来無線ＬＡＮで用いられていた、伝送誤り耐性の一番高い方式（ＢＰＳＫ変調・誤り訂正（畳み込み符号）符号化率１／２）よりも強靭な伝送方式が必要であると考えられている。このため、ＴＧａｈでは、同じデータを繰り返し送信することによりロバスト性を高めることが有力な手立てとして挙がっている。
【０００６】
繰返し送信の方式としては、非特許文献１があり、繰返しの方法として、３つのパターンを提示している。
【０００７】
一つ目は、図４６に示すように、シンボル番号ｐ＋１（ｐは０以上の整数）において、シンボル番号ｐのサブキャリアに対するデータの配置と同様のまま、単純にシンボル方向に繰返し送信を行っている。図４６における横軸はサブキャリア方向を示しており、中央サブキャリア番号を０として表示している。ここでは、繰り返しとして、２回同じデータを送っており、受信側においては、同じデータを受信することを利用して、データを合成復号することで、３ｄＢのパワー利得を得ることができ、ロバスト性が高まる。また、周波数領域の信号であるＯＦＤＭサブキャリアを逆フーリエ変換して得られる間軸領域信号を図４７に記す。ここで、同じデータを同じサブキャリア位置で配置するため、シンボル番号ｐとシンボル番号ｐ＋１の時間領域信号は同一の波形となる。先述したように、ＯＦＤＭ信号には、信号の一部をコピーしたガードインターバルが存在している。受信処理においては、一般的に、ガードインターバルとコピー元の部分の相関をとることでキャリア周波数ずれやシンボル位置などの同期処理を実施している。２つのシンボルが同じ信号であれば、シンボル番号ｐとシンボル番号ｐ＋１との相関をとることで、ガードインターバル区間のみの相関よりも相関を算出するサンプル数を多くとることが可能となるため、相関算出精度を高め、その相関値に基づいた同期処理の精度を高めることも可能となる。
【０００８】
二つ目は、図４８に示すように、シンボル番号ｐとシンボル番号ｐ＋１は独立しており、同一シンボル内で、同一データを別のサブキャリアへ配置する構成である。ここでは、サブキャリア番号のプラス側のデータ群を、マイナス側にも配置している。繰り返しとして、２回同じデータを送っており、受信側においては、先ほどと同様に、合成復号することで３ｄＢのパワー利得を得ることができ、ロバスト性が高まる。ここでは、図４６の配置と異なり、同じデータが異なるサブキャリア位置に存在するため、マルチパス干渉が存在して特定のサブキャリアが消失して復号困難な場合でも、別のサブキャリア位置における同一データが消失していなければ、そのサブキャリアのデータを利用して復調可能となり、周波数ダイバーシティ効果を得ることができる。
【０００９】
三つ目は、図４９に示すように、シンボル番号ｐとシンボル番号ｐ＋１において、２つのデータ群をサブキャリア方向に交換して配置する構成である。ここでも、繰り返しとして２回同じデータを送っており、受信側においては、同じデータであること利用して合成復号することで、３ｄＢのパワー利得を得ることができ、ロバスト性を高めることができる。さらに、図４８の配置と同様に、同じデータが異なるサブキャリア位置に存在するため、マルチパス干渉が存在して特定のサブキャリアが消失して復号困難な場合でも、別のサブキャリア位置における同一データが消失していなければ、そのサブキャリアのデータを利用して復調可能となり、周波数ダイバーシティ効果を得ることができる。
【００１０】
また、特許文献１においては、ＯＦＤＭフレーム内でｍ個（ｍは１以上の整数）のデータをｍシンボルに亘って、特定のサブキャリアを用いて送信する際に、特定のサブキャリアの各々に対し、シンボル方向にデータの並びを変えている。このことにより、フェージング変動によってあるシンボルが消失しても、その他のシンボルにおけるデータを用いられる時間ダイバーシティ効果により、ｍ個のデータが復調できる、というものである。
【先行技術文献】
【特許文献】
【００１１】
【特許文献１】特開２０００−１９６５５９号公報
【非特許文献】
【００１２】
【非特許文献１】Heejung Yu他２名、“Repetition Schemes for TGah”、2011年11月7日、ＩＥＥＥ、インターネット（ＵＲＬ：https://mentor.ieee.org/802.11/documents?is_group=00ah,11-11-1490-01-00ah-repetition-schemes-for-tgah.pptx）
【発明の概要】
【発明が解決しようとする課題】
【００１３】
しかしながら、特許文献１は、特定サブキャリアに付加するデータを、フェージング環境において正しく伝送するものあり、伝送フレーム内の各データ列の内容が同一というものであるため、データ再送信に対する解決手段ではない。
【００１４】
また、非特許文献１の３つの配置パターンについては、次の課題がある。無線通信において、様々なチャンネルを使用して情報伝送が行われ、所望のチャンネルの隣接チャンネルは、異なるユーザや異なる目的に対して使用されている。送信された電波の電力は、距離に応じて減衰するため、送信電力を一定としても、送信源である各送信機が様々な場所に存在するため、受信機に届く電波の電力は、送信機ごとに大きく異なる。このため、図５０のように、受信機に届く受信電力は、所望のチャンネルの電力よりも、隣接チャンネルの電力が極端に大きくなることがある。この場合、隣接チャンネルの帯域外信号が、所望チャンネル内で大きな妨害源となり、伝送誤りを引き起こす要因となる。隣接チャンネルからの妨害電力は、図５０に示すように、所望チャンネル内で一様ではなく、隣接チャンネルに近いほど大きくなり、離れるほど小さくなる。ここで、非特許文献１における一つ目の配置（図４６）においては、隣接チャンネルに近いサブキャリアほど隣接チャンネル妨害の影響を受けてデータが誤りやすくなることに対し、繰返し送信におけるサブキャリアに対するデータの配置を全く同一としているために、図５１に示すように、シンボル番号ｐ＋１においても、同じサブキャリア位置の同じデータが同様に誤りやすくなり、周波数ダイバーシティ効果が全く得られず、二つのデータ合成復調をしても隣接チャンネル妨害によるデータ誤りを低減できずに、最終的にパケットエラーを起こしてしまう。図４８に示した二つ目の配置においては、同一データを別キャリア位置で再送しているために、周波数ダイバーシティ効果があるため、一つ目の配置よりも、合成復調による隣接チャネル妨害の影響は軽減するものの、図５２に示すように妨害の影響はデータ位置に対して均一にならず、偏りが生じる。図４９に示した三つ目の配置においても同様で、同一データを別キャリア位置で再送しているために、周波数ダイバーシティ効果があるため、一つ目の配置よりも、合成復調による隣接チャネル妨害の影響は軽減するものの、図５３に示すように妨害の影響は、均一にならない。このことにより、誤りがおきやすいキャリアが発生し、最終的にパケットエラーを起こしてしまう。
【課題を解決するための手段】
【００１５】
上記課題を解決するために、本願発明の一つの態様であるＯＦＤＭ送信装置は、同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調部を有し、前記サブキャリア変調部は、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【発明の効果】
【００１６】
上記の態様によれば、所望チャンネル帯域内に隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【図面の簡単な説明】
【００１７】
【図１】本願発明の実施の形態１におけるＯＦＤＭ送信装置１の構成を表すブロック図である。
【図２】本願発明の実施の形態１におけるＯＦＤＭフレームの構成を表す模式図である。
【図３】ＯＦＤＭシンボルを表す模式図である。
【図４】ＬＴＦのＯＦＤＭシンボル構成を表す模式図である。
【図５】波形整形の概念を表す模式図である。
【図６】ＯＦＤＭ送信装置１におけるサブキャリア変調部２１の構成を表すブロック図である。
【図７】ＢＰＳＫおよびＱＰＳＫのマッピングを表す模式図である。
【図８】本願発明の実施の形態１における、サブキャリアに対するデータ配置を表す模式図である。
【図９】本願発明の実施の形態１におけるＯＦＤＭ受信装置１００１の構成を表すブロック図である。
【図１０】ＯＦＤＭ受信装置１００１における合成等化部１２０１の構成を表すブロック図である。
【図１１】隣接チャンネル妨害を含む様子を表す模式図である。
【図１２】図８とは異なる様態の、サブキャリアに対するデータ配置を表す模式図（１）である。
【図１３】図８とは異なる様態の、サブキャリアに対するデータ配置を表す模式図（２）である。
【図１４】本願発明の実施の形態２におけるＯＦＤＭ送信装置２の構成を表すブロック図である。
【図１５】ＯＦＤＭ送信装置２におけるサブキャリア変調部２２の構成を表すブロック図である。
【図１６】本願発明の実施の形態２における、サブキャリアに対するデータ配置を表す模式図である。
【図１７】本願発明の実施の形態２におけるＯＦＤＭ受信装置１００２の構成を表すブロック図である。
【図１８】ＯＦＤＭ受信装置１００２における合成等化部１２０２の構成を表すブロック図である。
【図１９】隣接チャンネル妨害を含む様子を表す模式図である。
【図２０】図１６とは異なる様態の、サブキャリアに対するデータ配置を表す模式図（１）である。
【図２１】図１６とは異なる様態の、サブキャリアに対するデータ配置を表す模式図（２）である。
【図２２】本願発明の実施の形態３におけるＯＦＤＭ送信装置３の構成を表すブロック図である。
【図２３】ＯＦＤＭ送信装置３におけるサブキャリア変調部２３の構成を表すブロック図である。
【図２４】通常のＱＰＳＫ変調と、本願発明のＱＰＳＫ変調における、データ系列と変調との関係性を表す図である。
【図２５】本願発明の実施の形態３における、サブキャリアに対するデータ配置を表す模式図である。
【図２６】本願発明の実施の形態３におけるＯＦＤＭ受信装置１００３の構成を表すブロック図である。
【図２７】ＯＦＤＭ受信装置１００３におけるＩＱ合成部１４０１の構成を表すブロック図である。
【図２８】本願発明の実施の形態４におけるＯＦＤＭ送信装置４の構成を表すブロック図である。
【図２９】ＯＦＤＭ送信装置４におけるサブキャリア変調部２４の構成を表すブロック図である。
【図３０】本願発明の実施の形態４における、サブキャリアに対するデータ配置を表す模式図である。
【図３１】本願発明の実施の形態４におけるＯＦＤＭ受信装置１００４の構成を表すブロック図である。
【図３２】実施の形態１のＯＦＤＭ受信装置１００１における同期部１１０５の構成を表すブロック図である。
【図３３】ＯＦＤＭシンボルをＯＦＤＭ有効シンボル長遅延させたことを表す模式図である。
【図３４】実施の形態４のＯＦＤＭ受信装置１００４における同期部１５０５の構成を表すブロック図である。
【図３５】ＯＦＤＭシンボルをＯＦＤＭシンボル長遅延させたことを表す模式図である。
【図３６】本願発明の実施の形態４における、サブキャリアに対するデータ配置を表す模式図である。
【図３７】図３６とは異なる、別様態のサブキャリアに対するデータ配置を表す模式図である。
【図３８】本願発明の実施の形態５におけるＯＦＤＭ受信装置１００５の構成を表すブロック図である。
【図３９】ＯＦＤＭ受信装置１００５における伝送路特性推定部１７０７の構成を表すブロック図である。
【図４０】本願発明の実施の形態５におけるＣＰＥの算出を適用可能な、図１２とは異なるサブキャリアに対するデータ配置を表す模式図である。
【図４１】本願発明の実施の形態６におけるＯＦＤＭ送信装置６の構成を表すブロック図である。
【図４２】ＯＦＤＭ送信装置６におけるサブキャリア変調部２６の構成を表すブロック図である。
【図４３】本願発明の実施の形態６における、サブキャリアに対するデータ配置を表す模式図である。
【図４４】本願発明の実施の形態６におけるＯＦＤＭ受信装置１００６の構成を表すブロック図である。
【図４５】ＯＦＤＭ受信装置１００６における伝送路特性推定部１８０７の構成を表すブロック図である。
【図４６】非特許文献１における、サブキャリアに対するデータ配置の模式図（１）である。
【図４７】非特許文献１における、ＯＦＤＭシンボル（時間領域信号）を表す模式図である。
【図４８】非特許文献１における、サブキャリアに対するデータ配置の模式図（２）である。
【図４９】非特許文献１における、サブキャリアに対するデータ配置の模式図（３）である。
【図５０】隣接チャンネル妨害の存在を示した模式図である。
【図５１】図４６のデータ配置に対し、隣接チャンネル妨害の存在を示した模式図である。
【図５２】図４８のデータ配置に対し、隣接チャンネル妨害の存在を示した模式図である。
【図５３】図４９のデータ配置に対し、隣接チャンネル妨害の存在を示した模式図である。
【発明を実施するための形態】
【００１８】
本願発明の一様態である、第１の送信装置は、ＯＦＤＭ方式を用いた送信装置であって、
同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調部を有し、前記サブキャリア変調部は、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００１９】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００２０】
本願発明の一様態である、第２の送信装置は、第１の送信装置において、前記Ｎは２である、構成としている。
【００２１】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００２２】
本願発明の一様態である、第３の送信装置は、第１の送信装置において、前記サブキャリア変調部は、ＯＦＤＭ１シンボルのサブキャリアをＮ分割し、それぞれの分割したサブキャリアに対し、同一のデータ群を割り当てる、構成としている。
【００２３】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００２４】
本願発明の一様態である、第４の送信装置は、第１の送信装置において、前記サブキャリア変調部は、１つの前記データ群を１つのＯＦＤＭシンボルに割り当て、Ｎ個のＯＦＤＭシンボルを用いて、Ｎ回の同一のデータ群を割り当てる、構成としている。
【００２５】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００２６】
本願発明の一様態である、第５の送信装置は、第１の送信装置において、前記サブキャリア変調部は、前記Ｎ回のうち、少なくとも一回において、サブキャリアに割り当てる信号を複素共役にする、構成としている。
【００２７】
本態様によると、隣接チャンネルからの妨害が存在する場合に、受信側における合成処理によって、周波数ダイバーシティ効果を最大限に発揮でき、隣接チャンネル妨害に対する耐性が向上し、安定した受信が可能となる。さらに、少なくとも一つのデータ群シンボルの時間領域信号は、残りのデータ群の少なくとも一つのシンボルの時間領域信号に対し、複素共役となり、両者のシンボル間で、ＯＦＤＭシンボル長での相関を基に同期処理が行え、相関算出に有効なサンプル数が増えるため、相関算出精度が向上し、同期処理の精度向上が期待できる。
【００２８】
本願発明の一様態である、第６の送信装置は、第５の送信装置において、前記センターサブキャリアを中心として、反対の順序に割り当てるデータ群に対し、複素共役にして割り当てる、構成としている。
【００２９】
本態様によると、隣接チャンネルからの妨害が存在する場合に、受信側における合成処理によって、周波数ダイバーシティ効果を最大限に発揮でき、隣接チャンネル妨害に対する耐性が向上し、安定した受信が可能となる。さらに、反転の配置かつ複素共役で割り当てたシンボルの時間領域信号は、残りのデータ群の少なくとも一つのシンボルの時間領域信号に対し、複素共役となり、両者のシンボル間で、ＯＦＤＭシンボル長での相関を基に同期処理が行え、相関算出に有効なサンプル数が増えるため、相関算出精度が向上し、同期処理の精度向上が期待できる。
【００３０】
本願発明の一様態である、第７の送信装置は、第１の送信装置において、前記サブキャリア変調部は、前記同一データを、さらにサブキャリアのＩ軸（同相成分）及びＱ軸（直交成分）の両軸を用いて繰返し送信できるようにマッピングし、前記Ｉ軸およびＱ軸のマッピングは、それぞれ異なるサブキャリアのＩ軸およびＱ軸に対してマッピングする、構成としている。
【００３１】
本態様によると、隣接チャンネルからの妨害が存在する場合に、受信側における合成処理によって、周波数ダイバーシティ効果を最大限に発揮でき、また、マルチパス干渉においても、周波数ダイバーシティ効果を発揮でき、隣接チャンネル妨害およびマルチパス干渉に対する耐性が向上し、安定した受信が可能となる。
【００３２】
本願発明の一様態である、第８の送信装置は、第１の送信装置において、前記サブキャリア変調部は、前記データ群をＭ個（Ｍは２以上）のグループに別け、所定のシンボルで前記データ群を割り当て、前記所定のシンボル以外のＭ個のシンボルに対し、前記Ｍ個のグループを一つずつ割り当てる、構成としている。
【００３３】
本態様によると、繰返し送信の行われるシンボル間における位相回転量を、パイロット以外の多くのデータキャリアの受信信号を用いて位相回転を算出することができるため、位相回転算出における平均の母数を増やすことができ、最終的な位相回転算出の精度が向上するため、ノイズ環境などにおいても、正しく位相追従ができ、高精度な等化処理が実施でき、安定した受信が可能となる。
【００３４】
本願発明の一様態である、第９の送信装置は、第８の送信装置において、前記Ｎは２であり、前記Ｍは２であり、前記所定のシンボル以外のＭ個のシンボルは、前記所定のシンボルの前後のシンボルである、構成としている。
【００３５】
本態様によると、繰返し送信の行われるシンボル間における位相回転量を、パイロット以外の多くのデータキャリアの受信信号を用いて位相回転を算出することができるため、位相回転算出における平均の母数を増やすことができ、最終的な位相回転算出の精度が向上するため、ノイズ環境などにおいても、正しく位相追従ができ、高精度な等化処理が実施でき、安定した受信が可能となる。
【００３６】
本願発明の一様態である、第１の受信装置は、同一のデータ群をＮ回（Ｎは２以上の整数）送信する送信信号を、受信する受信部を含み、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００３７】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００３８】
本願発明の一様態である、第２の受信装置は、第１の受信装置において、前記送信信号は、既知のプリアンブル信号をフレームの先頭に含み、前記受信部は、前記プリアンブルを基に伝送路特性の推定を実施する伝送路特性推定部と、前記プリアンブルを基に所望の帯域内に存在する妨害信号を検出する妨害検出部と、前記Ｎ回の同一のデータに関し、合成または選択し、波形等化を行う合成等化部と、を有し、前記合成等化部において、前記合成または選択は、前記伝送路特性推定部で推定した伝送路特性と、前記妨害検出部で検出した妨害信号検出結果との少なくとも一方を用いる、構成としている。
【００３９】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側において、伝送路特性推定値と妨害検出結果を用いた的確な合成処理によって、周波数ダイバーシティ効果を最大限に発揮でき、隣接チャンネル妨害に対する耐性が向上し、安定した受信が可能となる。
【００４０】
本願発明の一様態である、第３の受信装置は、第１の受信装置において、前記送信信号は、前記Ｎ回のデータ群をサブキャリアへ割り当てるうち、少なくとも一回において、データ群を複素共役にしてサブキャリアに割り当て、前記受信部は、相関算出部を有し、前記相関算出部は、ＯＦＤＭシンボル長遅延させた信号と遅延させていない信号とを乗算することで相関を算出し、ＯＦＤＭシンボル長に渡って区間積分を実施する、構成としている。
【００４１】
本態様によると、隣接チャンネルからの妨害が存在する場合に、受信側における合成処理によって、周波数ダイバーシティ効果を最大限に発揮でき、隣接チャンネル妨害に対する耐性が向上し、安定した受信が可能となる。さらに、少なくとも一つのデータ群シンボルの時間領域信号は、残りのデータ群の少なくとも一つのシンボルの時間領域信号に対し、複素共役となり、両者のシンボル間で、ＯＦＤＭシンボル長での相関を基に同期処理が行え、相関算出に有効なサンプル数が増えるため、相関算出精度が向上し、同期処理の精度向上が期待できる。
【００４２】
本願発明の一様態である、第４の受信装置は、第１の受信装置において、前記送信信号は、既知のプリアンブル信号をフレームの先頭に含み、さらに、前記同一データ群を、サブキャリアのＩ軸（同相成分）およびＱ軸（直交成分）の両軸を用いてさらに繰返し送信できるようにマッピングし、前記Ｉ軸およびＱ軸のマッピングは、それぞれ異なるサブキャリアのＩ軸およびＱ軸に対してマッピングし、前記受信部は、前記プリアンブルを基に伝送路特性の推定を実施する伝送路特性推定部と、前記プリアンブルを基に所望の帯域内に存在する妨害信号を検出する妨害検出部と、前記Ｎ回の同一のデータに関し、サブキャリア毎に、合成または選択し、波形等化を行う合成等化部と、前記Ｉ軸およびＱ軸の同一データ群に対し、Ｉ軸情報とＱ軸情報を合成または選択するＩＱ合成部と、を有し、前記合成等化部において、前記合成または選択は、前記伝送路特性推定部で推定した伝送路特性と、前記妨害検出部で検出した妨害信号検出結果との少なくとも一方を用い、前記ＩＱ合成部において、前記Ｉ軸およびＱ軸の合成または選択は、前記伝送路特性推定部で推定した伝送路特性と、前記妨害検出部で検出した妨害信号検出結果との少なくとも一方を用いる、構成としている。
【００４３】
本態様によると、隣接チャンネルからの妨害が存在する場合に、受信側における伝送路特性推定値と妨害検出結果を用いた的確な合成処理によって、周波数ダイバーシティ効果を最大限に発揮でき、また、伝送路特性推定値と妨害検出結果を用いた的確なＩ軸情報とＱ軸情報の合成処理によって、マルチパス干渉においても、周波数ダイバーシティ効果を発揮でき、隣接チャンネル妨害およびマルチパス干渉に対する耐性が向上し、安定した受信が可能となる。
【００４４】
本願発明の一様態である、第５の受信装置は、第１の受信装置において、前記受信部は、シンボル間の位相回転を算出するＣＰＥ算出部を有し、前記ＣＰＥ算出部は、前記センターサブキャリアを中心として反対の順序に割り当てたデータ群の少なくとも一部の信号と、それ以外のＮ−１のデータ群のうち少なくとも一つのデータ群の少なくとも一部の信号とを用いて、前記シンボル間の位相回転を算出する、構成としている。
【００４５】
本態様によると、繰返し送信の行われるシンボル間における位相回転量を、パイロット以外の多くのデータキャリアの受信信号を用いて位相回転を算出することができるため、位相回転算出における平均の母数を増やすことができ、最終的な位相回転算出の精度が向上するため、ノイズ環境などにおいても、正しく位相追従ができ、高精度な等化処理が実施でき、安定した受信が可能となる。
【００４６】
本願発明の一様態である、第１０の送信装置は、ＯＦＤＭ方式を用いた送信装置であって、同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調部を有し、前記サブキャリア変調部は、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、構成としている。
【００４７】
本態様によると、所望チャンネル帯域内に妨害が存在する場合に、同一のデータに対してトータルで受ける前記妨害のレベルを、いずれのデータに対しても同様なレベルとなるように同一データ群を繰り返し送信が可能となり、受信側における合成処理によって、周波数ダイバーシティ効果を最大限に発揮でき、帯域内妨害に対する耐性が向上し、安定した受信が可能となる。
【００４８】
本願発明の一様態である、第１の送信方法は、ＯＦＤＭ方式を用いた送信方法であって、同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調ステップを有し、前記サブキャリア変調ステップは、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００４９】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００５０】
本願発明の一様態である、第１の送信回路は、ＯＦＤＭ方式を用いた送信回路であって、同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調回路を有し、前記サブキャリア変調回路は、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００５１】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００５２】
本願発明の一様態である、第１の送信プログラムは、ＯＦＤＭ方式を用いた送信プログラムであって、同一のデータ群をＮ回（Ｎは２以上の整数）送信するために、前記同一のデータ群を所定の規則に基づき、ＢＰＳＫもしくはＱＡＭ変調された信号をＯＦＤＭサブキャリアへ割り当てるサブキャリア変調ステップを有し、前記サブキャリア変調ステップは、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００５３】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００５４】
本願発明の一様態である、第１の受信方法は、同一のデータ群をＮ回（Ｎは２以上の整数）送信する送信信号を、受信する受信ステップを含み、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００５５】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００５６】
本願発明の一様態である、第１の受信回路は、同一のデータ群をＮ回（Ｎは２以上の整数）送信する送信信号を、受信する受信回路を含み、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００５７】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００５８】
本願発明の一様態である、第１の受信プログラムは、同一のデータ群をＮ回（Ｎは２以上の整数）送信する送信信号を、受信する受信ステップを含み、前記Ｎ回のうち、少なくとも一回において、ＢＰＳＫもしくはＱＡＭ変調された信号のサブキャリアへの割り当て位置は、残りのＮ−１回のいずれかのうち少なくとも一回における割り当て位置に対し、センターサブキャリアを中心として、反対の順序に割り当てる、構成としている。
【００５９】
本態様によると、隣接チャンネルからの妨害が存在する場合に、前記妨害は、隣接チャンネルに近づくサブキャリアほど妨害レベルが強くなるが、前記反対の順序にデータ群を割り当てることで、同一のデータに対してトータルで受ける妨害のレベルは、いずれのデータに対しても同様なレベルとなり、受信側における合成処理によって、周波数ダイバーシティ効果を最大限に発揮でき、隣接チャンネル妨害に対する耐性が向上し、安定した受信が可能となる。
【００６０】
本願発明の一様態である、第２の送信方法は、ＯＦＤＭ方式を用いた送信方法であって、同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調ステップを有し、前記サブキャリア変調ステップは、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、構成としている。
【００６１】
本態様によると、所望チャンネル帯域内に妨害が存在する場合に、同一のデータに対してトータルで受ける前記妨害のレベルを、いずれのデータに対しても同様なレベルとなるように同一データ群を繰り返し送信が可能となり、受信側における合成処理によって、周波数ダイバーシティ効果を最大限に発揮でき、帯域内妨害に対する耐性が向上し、安定した受信が可能となる。
【００６２】
本願発明の一様態である、第２の送信回路は、ＯＦＤＭ方式を用いた送信回路であって、同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調回路を有し、前記サブキャリア変調回路は、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、構成としている。
【００６３】
本態様によると、所望チャンネル帯域内に妨害が存在する場合に、同一のデータに対してトータルで受ける前記妨害のレベルを、いずれのデータに対しても同様なレベルとなるように同一データ群を繰り返し送信が可能となり、受信側における合成処理によって、周波数ダイバーシティ効果を最大限に発揮でき、帯域内妨害に対する耐性が向上し、安定した受信が可能となる。
【００６４】
本願発明の一様態である、第２の送信プログラムは、ＯＦＤＭ方式を用いた送信プログラムであって、同一のデータ群を２回送信するために、前記同一のデータ群を所定の規則に基づき、ＢＰＳＫもしくはＱＡＭ変調された信号をＯＦＤＭサブキャリアへ割り当てるサブキャリア変調ステップを有し、前記サブキャリア変調ステップは、第一のデータ群に対する、ＢＰＳＫもしくはＱＡＭ変調された信号のサブキャリアへの割り当て位置を、第二のデータ群の割り当て位置に対し、帯域内の妨害を受けるレベルが、２つの同一のデータにおけるトータルでのレベルでみたときに、均一になるような順序に割り当てる、構成としている。
【００６５】
本態様によると、所望チャンネル帯域内に妨害が存在する場合に、同一のデータに対してトータルで受ける前記妨害のレベルを、いずれのデータに対しても同様なレベルとなるように同一データ群を繰り返し送信が可能となり、受信側における合成処理によって、周波数ダイバーシティ効果を最大限に発揮でき、帯域内妨害に対する耐性が向上し、安定した受信が可能となる。
【００６６】
以下、本願発明の実施形態について図面を参照して説明する。
【００６７】
（実施形態１）
本願発明のＯＦＤＭ送信装置および受信装置の実施の形態１について、図１〜図１３を参照して説明する。ここでは、ＩＥＥＥ  ８０２．１１におけるＴＧａｈで検討中の８０２．１１ａｈのフォーマットの一部を例にして記載するが、適用先はこれに限られない。また、規格策定段階であるため、例に挙げる８０２．１１ａｈのフォーマットは、今後変更される可能性もあるため、このフォーマットに限定されない。
【００６８】
図１は、本願発明の実施の形態１におけるＯＦＤＭ送信装置１の構成を示したブロック図である。本願発明の実施の形態１におけるＯＦＤＭ送信装置１は、ＯＦＤＭ変調部１１とＤ／Ａ変換部１０７とＲＦ出力部１０８とアンテナ１０９から構成される。ＯＦＤＭ変調部１１は、誤り訂正符号化部１０１とインターリーブ部１０２とサブキャリア変調部２１と同期信号生成部１０３と逆フーリエ変換部１０４とガードインターバル付加部１０５とシンボル整形部１０６から構成される。
【００６９】
送信されるデータは、誤り訂正符号化部１０１に入力され、誤り訂正のための冗長ビットを付加した上で符号化する。一例として、ここでは、畳み込み符号化を実施する。誤り訂正符号化した信号は、インターリーブ部に入力され、信号の順番を並び変えてサブキャリア変調部２１へ出力する。サブキャリア変調部２１は、インターリーブされた信号を、ＢＰＳＫやＱＡＭなどのデジタル変調を用いて各ＯＦＤＭサブキャリアへマッピングし、逆フーリエ変換部１０４へ出力する。
【００７０】
一方、同期信号生成部１０３は、ＳＴＦ（Ｓｈｏｒｔ  Ｔｒａｉｎｉｎｇ  Ｆｉｅｌｄ）やＬＴＦ（Ｌｏｎｇ  Ｔｒａｉｎｉｎｇ  Ｆｉｅｌｄ）といった同期用のプリアンブル信号を生成し、同様に逆フーリエ変換部１０４へ出力する。ここで、ＳＴＦとＬＴＦと送信データ群の時間的な関係であるフレームフォーマットの一例を図２に示す。図２に示すように、フレームフォーマットは、ＳＴＦで始まり、次にＬＴＦ、といった順になる。ＬＴＦの後には、ＳＩＧＮＡＬシンボルが続き、その後に、データシンボルが続く構成となる。なお、ＳＩＧＮＡＬシンボルに含まれる信号は、復調に必要なパラメータ情報が含まれている。
【００７１】
逆フーリエ変換部１０４は、サブキャリア変調部２１や同期信号生成部１０３で生成されたＯＦＤＭサブキャリアに対し、逆フーリエ変換を施し、周波数領域信号から時間領域信号に変換し、ガードインターバル付加部１０５へ出力する。ガードインターバル付加部１０５は図３に示すように、ＯＦＤＭ有効シンボルの後半部分をコピーして先頭に付加する。ただし、ＬＴＦにおいては、図４に示すように、２つのＯＦＤＭ有効シンボルに対して一つのガードインターバルを付加する構成となる。ガードインターバルが付加された信号は、シンボル整形部１０６に入力され、ＯＦＤＭシンボルの先頭と最終サンプルに対し、図５に示すように、ＯＦＤＭシンボルの前後１サンプルずつの振幅を半分にする処理を実施し、スペクトルの帯域外電力を抑圧する整形を実施する。シンボル整形部１０６の信号は、Ｄ／Ａ変換部１０７に入力され、デジタル信号からアナログの連続した信号へと変換され、ＲＦ出力部１０８によって所定の搬送周波数へ変換されアンテナ１０９によって送信される。ここで、本発明の実施の形態１のＯＦＤＭ送信装置１は、サブキャリア変調部２１に特徴を持つ。
【００７２】
サブキャリア変調部２１の構成を図６に示す。サブキャリア変調部２１は、データ保持部１１１と、マッピング部１１２と、サブキャリアアサイン部１１３とから構成される。データ保持部１１１では、サブキャリア変調部２１の入力データを後述する必要区間保持し、多値変調部１１２へ出力する。多値変調部１１２では、入力データを基に、ＢＰＳＫ、ＱＰＳＫ、１６ＱＡＭ、６４ＱＡＭなどにマッピングする。ここで、説明の便宜上、ＢＰＳＫも多値変調に含むものとしている。入力データに対する、ＢＰＳＫとＱＰＳＫのマッピングの一例を図７に示す（１６ＱＡＭと６４ＱＡＭは割愛する）。マッピング後の複素信号をｘ＿ｎと表す（ｎは整数）。多値変調された信号は、サブキャリアアサイン部１１３へ入力され、サブキャリア番号に対し、所定の規則に基づき、それぞれ多値変調された信号ｘ＿ｎを配置し、逆フーリエ変換部１０４へ出力する。ここで、サブキャリア変調部２１においては、シンボル番号ｐ（ｐは０以上の整数）とシンボル番号ｐ＋１に対し、同じデータを用いる。具体的には、シンボル番号ｐにおいて、サブキャリア変調部２１に入力されたデータを基に多値変調し、所定の規則に基づき、サブキャリア番号に対し多値変調された配置し、シンボル番号ｐ＋１において、データ保持部１１１で保持されていたシンボル番号ｐと同様のデータに対し、多値変調を実施し、所定の規則に基づき、サブキャリア番号に対し多値変調された配置する。ここで、シンボル番号ｐとシンボル番号ｐ＋１における、サブキャリア番号に対する、多値変調信号の配置の規則に特徴がある。
【００７３】
図８に、シンボル番号ｐとシンボル番号ｐ＋１におけるサブキャリア番号に対する、多値変調信号の配置の規則を示す。ここでは、簡単のために、サブキャリア番号を−１３から＋１３までとし、ＤＣに相当するサブキャリア番号０はＮｕｌｌとしている。また、多値変調信号をｘ＿１からｘ＿２６まで用いる。図８に示すように、サブキャリア番号に対して、シンボル番号ｐとシンボル番号ｐ＋１とで逆の順番に配置して繰り返し送信する点が先行例と大きく異なる。データ保持部１１１は、シンボル番号ｐ＋２になると、新たな入力データを保持し、そのデータに基づき多値変調した信号に対し、シンボル番号ｐ＋２とｐ＋３とで、互いに逆のサブキャリア番号の順番に配置する。
【００７４】
以上の繰り返し方法を用いて、ＯＦＤＭ送信機１は、ＯＦＤＭ信号を生成し、送信を行う。
【００７５】
図９は、本願発明の実施の形態１におけるＯＦＤＭ受信装置１００１の構成を示したブロック図である。ＯＦＤＭ受信装置１００１は、アンテナ１１０１と、チューナ１１０２と、Ａ／Ｄ変換部１１０３と、ＯＦＤＭ復調部１０１１で構成される。ＯＦＤＭ復調部１０１１は、直交変換部１１０４と、同期部１１０５と、フーリエ変換部１１０６と、伝送路特性推定部１１０７と、妨害検出部１１０８と、合成等化部１２０１と、デマッパ部１１０９と、デインターリーブ部１１１０と、誤り訂正部１１１１とで構成される。
【００７６】
アンテナ１１０１で受信された信号から、チューナ１１０２において、所望の受信チャンネルの受信信号を選択し、チューナ１１０２の出力は、Ａ／Ｄ変換部１１０３でアナログ信号からデジタル信号に変換され、直交復調部１１０４において、固定周波数により直交復調されＩＦ信号から複素ベースバンド信号に変換される。複素ベースバンド信号は、同期部１１０５へ入力され、ＳＴＦ信号やＬＴＦ信号などを用いて、キャリア周波数の同期や、信号のタイミング同期などの同期処理を実施し、フーリエ変換部１１０６へ入力する。フーリエ変換部１１０６では、有効ＯＦＤＭシンボル期間部分をフーリエ変換し、伝送路推定部１１０７と妨害検出部１１０８と、合成等化部１２０１へ出力する。ここでは、フーリエ変換は、ＦＦＴによって構成されるとするが、これに限られない。
【００７７】
伝送路特性推定部１１０７では、受信信号が伝送路で受けた振幅位相の歪の特性をサブキャリア毎に推定し、合成等化部１２０１へ出力する。ここでは、ＬＴＦ信号に含まれるパイロット信号を用いて伝送路特性の推定を実施する。また、妨害検出部１１０８では、受信信号が伝送路に混入した妨害波の検出をサブキャリア毎に行う。ここでは、ＬＴＦ信号に含まれるパイロット信号を用いてパイロット信号の伝送路特性の２つのシンボル間の差で算出する、とするが、これに限られない。合成等化部１２０１では、伝送路特性推定部１１０７で推定した伝送路特性と、妨害検出部１１０８で検出した妨害検出結果を用いて、振幅位相の補正（等化）を実施するとともに、繰り返し送信された信号における同一データを合成し、デマッパ部１１０９へ出力する。デマッパ部１１０９では、多値変調された信号を、多値化のマッピングに基づき、硬判定もしくは軟判定を実施し、デインターリーブ部１１１０へ入力してデインターリーブを実施し、誤り訂正部１１１１に入力する。誤り訂正部１１１１では、デインターリーブした信号に対し、伝送誤りを訂正し、送信情報データを復元する。
【００７８】
ここで、合成等化部１２０１の構成を図１０に示す。合成等化部１２０１は、データ保持部１２１１と、合成演算部１２１２とで構成される。フーリエ変換部１１０６の出力信号をデータ保持部１２１１に入力し、必要なデータを合成演算部１２１２へ出力し、伝送路特性推定部１１０７の出力信号である伝送路推定値と、妨害検出部１１０８の出力信号とに基づき、等化処理と合成処理を実施する。ここで、送信信号は、図８のように配置されているため、これらの同一データ同士を合成する。例えば、シンボル番号ｐのサブキャリア番号「１３」のデータとシンボル番号ｐ＋１のサブキャリア番号「−１３」のデータは同じデータであるため、この二つをペアとして合成する。具体的には、データ保持部１２１１で保持されたデータから、該当するシンボル・サブキャリア位置の受信信号を読み出し、それぞれのシンボル・サブキャリア位置の伝送路特性推定値および、妨害検出結果を用いて、次の式１のように等化・合成する。
【００７９】
【数１】
2014039089.tif 000003
【００８０】
式１において、受信信号をＹ、伝送路特性推定値をＨ、妨害検出値をＩとして表している。ｋはサブキャリア番号、ｐはシンボル番号を示す。
【００８１】
ここで、図１１に示すように、隣接チャンネルからの妨害が存在する場合を考える。このとき、図８に示したような繰り返し送信を実施しているので、たとえば、シンボル番号ｐにおける多値変調信号ｘ＿２６が受ける妨害のレベルは、シンボル番号ｐにおける多値変調信号ｘ＿１が受ける妨害のレベルよりも大きいが、シンボル番号ｐ＋１においては、逆の関係となり、２つのシンボルを用いたトータルで受けた妨害のレベルは、いずれの多値変調信号も同様なレベルとなる。このことから、受信側における合成処理によって、周波数ダイバーシティ効果を最大限に発揮でき、隣接チャンネル妨害に対する耐性が向上し、安定した受信が可能となる。
【００８２】
なお、サブキャリア変調部２１において、シンボル番号ｐ及びシンボル番号ｐ＋１において、データ保持部１１１で保持したデータを基に、多値変調をそれぞれのシンボルで実施する構成としたが、シンボル番号ｐにおいて多値変調を実施した後、多値変調信号を保持して、それをシンボル番号ｐ＋１で用いる構成としてもよく、図８の配置を実現できる構成であればなんでもよい。
【００８３】
なお、合成演算部１２１２は、二つの信号の合成処理としたが、妨害検出値に基づき、二つの信号のうち一つを選択する処理としてもよい。つまり、二つの同一データのうち、妨害検出値のレベルが小さいほうのデータのみを選択し、そのデータに関し、伝送路特性値で等化処理を実施するようにしてもよい。また、合成演算は、式１には限られず、妨害の影響を軽減する合成であれば何でもよい。
【００８４】
なお、本実施の形態１におけるデータの配置は、図８のようにセンターサブキャリアを除くサブキャリアを全て用いた構成としているが、これに限られず、図１２のように、一部のサブキャリアがパイロット信号であってもよく、さらに、図１３のように、パイロットがセンターサブキャリアに対して左右対称の配置でなくてもよく、またシンボル方向に同一のサブキャリアに存在しなくてもよい。また、パイロットの数は、センターサブキャリアに対して左右の同じ数でなくてもよく、サブキャリアの数も左右同じ数でなくてもよい。
【００８５】
（実施形態２）
本願発明のＯＦＤＭ送信装置および受信装置の実施の形態２について、図１４〜図２１を参照して説明する。なお、図１〜図１３と同じ構成要素は同じ記号を用い、説明を省略する。図１４に示すＯＦＤＭ送信装置２は、実施の形態１におけるＯＦＤＭ送信装置１と比較して、サブキャリア変調部２２における多値変調信号のサブキャリアへの配置に関して大きく異なる。
【００８６】
図１５にサブキャリア変調部２２の構成図を示す。サブキャリア変調部２２は、データ保持部１２１と多値変調部１１２と、サブキャリアアサイン部１２３とから構成され、データ保持部１２１で、入力データを保持し、多値変調部１１２で多値変調し、サブキャリアアサイン部１２３で所定の規則でサブキャリア番号に対し、多値変調信号を配置する。
【００８７】
ここでは、繰返し送信として、シンボル毎に異なるデータを送信し、同一シンボル内で、同じデータを２回送信する。サブキャリアアサイン部１２３の具体的な配置の規則を、図１６に示す。図１６のように、センターサブキャリア（サブキャリア番号０）を中心として、左右対称になるように、多値変調信号を配置しており、ここが実施の形態１におけるＯＦＤＭ送信装置１と異なる点である。
【００８８】
以上の繰り返し方法を用いて、ＯＦＤＭ送信機２は、ＯＦＤＭ信号を生成し、送信を行う。
【００８９】
図１７は、本願発明の実施の形態２におけるＯＦＤＭ受信装置１００２の構成を示したブロック図である。ＯＦＤＭ受信装置１００２は、実施の形態１におけるＯＦＤＭ受信装置１００１と比較して、送信フォーマットが実施の形態１と異なることに応じて、合成等化部１２０２の合成等化に関して異なる。
【００９０】
合成等化部１２０２の構成を図１８に示す。合成等化部１２０２は、データ保持部１２２１と、合成演算部１２２２とで構成される。フーリエ変換部１１０６の出力信号をデータ保持部１２２１に入力し、必要なデータを合成演算部１２２２へ出力し、伝送路特性推定部１１０７の出力信号である伝送路推定値と、妨害検出部１１０８の出力信号とに基づき、等化処理と合成処理を実施する。ここで、送信信号は、図１６のように配置されているため、これらのシンボル内の同一データ同士を合成する。例えば、サブキャリア番号「１３」のデータとサブキャリア番号「−１３」のデータは同じデータであるため、この二つをペアとして合成する。具体的には、データ保持部１２２１で保持されたデータから、該当するシンボル・サブキャリア位置の受信信号を読み出し、それぞれのシンボル・サブキャリア位置の伝送路特性推定値および、妨害検出結果を用いて、次の式２のように等化・合成する。
【００９１】
【数２】
2014039089.tif 000004
【００９２】
式２において、受信信号をＹ、伝送路特性推定値をＨ、妨害検出値をＩとして表している。ｋはサブキャリア番号、ｐはシンボル番号を示す。
【００９３】
ここで、図１９のように、隣接チャンネルからの妨害が存在する場合を考える。このとき、図１６に示したような繰り返し送信を実施しているので、キャリア番号がプラス側の領域を見れば、多値変調信号ｘ＿１が受ける妨害のレベルは、多値変調信号ｘ＿１３が受ける妨害のレベルよりも大きいが、キャリア番号がマイナスの領域においては、逆の関係となり、２つの同じ多値変調信号のトータルで受ける妨害のレベルは、いずれの多値変調信号も同様なレベルとなる。このことから、受信側における合成処理によって、周波数ダイバーシティ効果を最大限に発揮でき、隣接チャンネル妨害に対する耐性が向上し、安定した受信が可能となる。
【００９４】
なお、サブキャリア変調部２２において、データ保持部１２１で保持したデータを基に、多値変調を実施する構成としたが、ｘ＿１からｘ＿１３まで多値変調を実施した後、多値変調信号を保持して、それを繰返し送信として用いる構成としてもよく、図１６の配置を実現できる構成であればなんでもよい。
【００９５】
なお、合成演算部１２２２は、二つの信号の合成処理としたが、妨害検出値に基づき、選択処理としてもよい。つまり、二つの同一データのうち、妨害検出値のレベルが小さいほうのデータのみを選択し、そのデータに関し、伝送路特性値で等化処理を実施するようにしてもよい。また、合成演算は、式２には限られず、妨害の影響を軽減する合成であれば何でもよい。
【００９６】
なお、本実施の形態２におけるデータの配置は、図１６のようにセンターサブキャリアを除くサブキャリアを全て用いた構成としているが、これに限られず、図２０のように、一部のサブキャリアがパイロット信号であってもよく、さらに、図２１のように、パイロットがセンターに対して左右対称の配置でなくてもよい。
【００９７】
（実施形態３）
本願発明のＯＦＤＭ送信装置および受信装置の実施の形態３について、図２２〜図２７を参照して説明する。なお、図１〜図２１と同じ構成要素は同じ記号を用い、説明を省略する。図２２に示すＯＦＤＭ送信装置３は、実施の形態１におけるＯＦＤＭ送信装置１と比較して、サブキャリア変調部２３における多値変調信号のサブキャリアへの配置に関して大きく異なる。
【００９８】
図２３にサブキャリア変調部２３の構成を示す。サブキャリア変調部２３は、データ保持部１３１と、Ｉ／Ｑ再送ＱＰＳＫ変調部１３２と、変調信号保持部１３４と、サブキャリアアサイン部１３３とから構成される。データ保持部１３１は、入力データを保持し、Ｉ／Ｑ再送ＱＰＳＫ変調部１３２に入力する。Ｉ／Ｑ再送ＱＰＳＫ変調部１３２における変調について説明する。図２４に示すように、通常のＱＰＳＫ変調においては、入力データが６ビットある場合、２ビットずつＱＰＳＫ変調して、変調信号が３つ存在することになる。これに対し、Ｉ／Ｑ再送ＱＰＳＫでは、図２４のように、入力データ６ビットを、Ｉ軸（同相成分）とＱ軸（直交成分）それぞれに対し振り分け（ただし、同じデータがペアとならないようにする）、Ｉ軸とＱ軸とで再送信する形でＱＰＳＫ変調し、変調信号を６つ得るようにする。このようなＱＰＳＫ変調を施し、変調信号保持部１３４に入力して所定時間保持してサブキャリアアサイン部１３３へ入力し、所定の規則に則り、サブキャリア番号に対し、変調信号を配置する。次に、サブキャリアアサイン部１３３におけるサブキャリア番号に対する変調信号の配置について説明する。ここでは、実施の形態１におけるサブキャリアアサイン部１１３と同様に、図２５に示すように、サブキャリア番号に対して、シンボル番号ｐとシンボル番号ｐ＋１とで逆の順番に配置して繰り返し送信する。ここでは、ｘ＿１からｘ＿２６の２６種類のＱＰＳＫに対し、元の送信ビットが、Ｉ軸とＱ軸とで併せて２回送信され、さらにシンボル番号ｐとシンボル番号ｐ＋１とで変調信号が再送信されるため、送信データ１ビットあたり、計４回送信されることになる。
【００９９】
以上の繰り返し方法を用いて、ＯＦＤＭ送信機３は、ＯＦＤＭ信号を生成し、送信を行う。
【０１００】
図２６は、本願発明の実施の形態３におけるＯＦＤＭ受信装置１００３の構成を示したブロック図である。ＯＦＤＭ受信装置１００３は、実施の形態１におけるＯＦＤＭ受信装置１００１と比較して、送信フォーマットが実施の形態１と異なることに応じて、デマップ部１１０９の代わりにＩＱ合成部１４０１が追加されることに関して異なる。
【０１０１】
ここでは、図２５のようにＱＰＳＫ変調信号がサブキャリアに配置されており、多値変調信号の合成と等化に関しては、実施形態１と同様である。ＩＱ合成部１４０１は、データ保持部１４１１と合成演算部１４１２とから構成される。合成等化部１２０１で合成等化された信号は、データ保持部１４１１で必要区間保持され、ＱＰＳＫをＩ軸情報とＱ軸情報に分ける。合成演算部１４１２では、別サブキャリアに配置されたＩ軸情報とＱ軸情報のうち、同一のビットに関してペアを組み、合成を実施する。例えば、図２４のようにＱＰＳＫ変調されている場合は、ｘ＿１のＩ軸と、ｘ＿４のＱ軸が同じビットｂ０に基づくため、両者でペアを組み、合成を実施する。このとき、重み付けとして、ｘ＿１とｘ＿４が配置されたサブキャリア位置の伝送路特性推定値と妨害検出値を利用して、次の式３のように合成し、出力する。
【０１０２】
【数３】
2014039089.tif 000005
【０１０３】
ここで、「Ｒｅ」はＩ軸成分を示し、「Ｉｍ」はＱ軸成分を示す。
【０１０４】
図８で示した実施の形態１における繰返し送信のサブキャリア配置においては、先述したように、隣接チャンネル妨害が発生した際に、各サブキャリアに均一になるような配置であるが、シンボル番号ｐとシンボル番号ｐ＋１において中央のサブキャリア位置におけるｘ＿１３がお互いに非常に近い位置となっており、マルチパス干渉による周波数選択性が中央キャリアで起きると周波数ダイバーシティ効果が得られにくく、誤りが発生してしまう。これに対し、Ｑ軸で別のキャリアで送信する概念を用いてさらに繰返し送信をすることで、同一の情報ビットが、様々なキャリアに配置され、これらを合成することで、隣接チャンネルに対する周波数ダイバーシティ効果を高めると共に、マルチパスに対する周波数ダイバーシティ効果をも得られる効果を併せ持ち、隣接チャンネル妨害およびマルチパス干渉に対する耐性が向上し、安定した受信が可能となる。
【０１０５】
ここで、ＱＰＳＫとすることで、ＢＰＳＫに対し、１サブキャリアで見れば、熱雑音に対する誤り耐性を３ｄＢロスすることになるが、他のサブキャリアで同一情報を送っているので、合成することで３ｄＢのダイバーシティ利得が得られるため、トータル的にロスは相殺されることとなる。
【０１０６】
なお、合成演算部１４１２は、二つの信号の合成処理としたが、妨害検出値に基づき、選択処理としてもよい。つまり、二つの同一データのうち、妨害検出値のレベルが小さいほうのデータのみを選択するようにしてもよい。また、合成演算は、式３には限られず、妨害の影響を軽減する合成であれば何でもよい。さらに、選択処理は、伝送路特性の値に基づき選択処理としてもよい。つまり、二つの同一データのうち、伝送路特性の絶対値のレベルが小さいほうのデータのみを選択するようにしてもよい。また、合成演算は、式３には限られず、ノイズの影響を軽減する合成であれば何でもよい。
【０１０７】
なお、本実施の形態３におけるデータの配置は、図２５のようにセンターサブキャリアを除くサブキャリアを全て用いた構成としているが、これに限られず、実施の形態１で説明したように、一部のサブキャリアがパイロット信号であってもよく、さらに、パイロットがセンターに対して左右対称の配置でなくてもよく、またシンボル方向に同一のサブキャリアに存在しなくてもよい。また、パイロットの数は、センターサブキャリアに対して左右の同じ数でなくてもよく、サブキャリアの数も左右同じ数でなくてもよい。
【０１０８】
また、本実施の形態３では、Ｉ／Ｑ再送によるＱＰＳＫ変調と、複数シンボルによる繰返し送信を用いた構成としたが、これに限られず、Ｉ／Ｑ再送によるＱＰＳＫ変調と、実施の形態２における図１６で示したような、１シンボル内での繰返し送信を用いた構成としてもよい。
【０１０９】
（実施形態４）
本願発明のＯＦＤＭ送信装置および受信装置の実施の形態４について、図２８〜図３７を参照して説明する。なお、図１〜図２７と同じ構成要素は同じ記号を用い、説明を省略する。
【０１１０】
図２８に示すＯＦＤＭ送信装置４は、実施の形態１におけるＯＦＤＭ送信装置１と比較して、サブキャリア変調部２４における多値変調信号のサブキャリアへの配置に関して大きく異なる。
【０１１１】
図２９に、サブキャリア変調部２４の構成を示す。サブキャリア変調部２４は、データ保持部１１１と多値変調部１１２と、サブキャリアアサイン部１４３とで構成される。サブキャリアアサイン部１４３では、実施の形態１におけるサブキャリアアサイン部１１３と同様に、多値変調信号を、サブキャリア番号に対して、シンボル番号ｐとシンボル番号ｐ＋１とで逆の順番に配置して繰り返し送信する。ただし、図３０に示すように、シンボル番号ｐ＋１において、逆の順番に配置すると共に、多値変調信号を複素共役して配置する点が、実施の形態１と比較して異なる点である。このような配置にした場合のシンボル番号ｐとシンボル番号ｐ＋１との時間領域信号の関係について、式４と式５を用いて説明する。
【０１１２】
【数４】
2014039089.tif 000006
【０１１３】
この式４は、シンボル番号ｐについて、サブキャリア情報をＸｋとして、逆フーリエ変換を表している。
【０１１４】
【数５】
2014039089.tif 000007
【０１１５】
この式５は、シンボル番号ｐ＋１について、サブキャリア情報Ｘｋを用いて、逆順であることと複素共役であることを踏まえて、逆フーリエ変換することを表しており、式５を式変形していくと、最終的に、シンボル番号ｐの時間領域信号の複素共役が得られる。つまり、図３０の配置とすることで、シンボル番号ｐとシンボル番号ｐ＋１の時間領域信号は、複素共役の関係となる。なお、便宜上、式においては、サブキャリアの多値信号としてＸｋで表しており、シンボル番号ｐにおいてサブキャリア番号とインデックスｋを共通化して記載するため、図３０のｘ＿ｎとは異なる標記を用いている（つまり、Ｘ１３＝ｘ＿２６となる）。
【０１１６】
以上の繰り返し方法を用いて、ＯＦＤＭ送信機４は、ＯＦＤＭ信号を生成し、送信を行う。
【０１１７】
図３１は、本願発明の実施の形態４におけるＯＦＤＭ受信装置１００４の構成を示したブロック図である。ＯＦＤＭ受信装置１００４は、実施の形態１におけるＯＦＤＭ受信装置１００１と比較して、送信フォーマットが実施の形態１と異なることに応じて、同期部１５０５における時間領域信号の相関の算出方法が異なる。ここで、両者の差を明確にするため、実施の形態１のＯＦＤＭ受信装置１００１における同期部１１０５に関して説明する。同期部１１０５は、相関算出部１６０１と、同期確立部１６０５とから構成され、相関算出部１６０１は、有効シンボル長遅延部１６０２と、複素共役演算部１６０３と、区間積分部１６０４と乗算部１６０６で構成される。図３で示したように、ＯＦＤＭシンボルは、ＯＦＤＭ有効シンボルの後ろ部分のコピーをガードインターバルとして挿入されており、同一の信号である。このことを利用し、コピー部分とガードインターバル部分との相関を得るために、有効シンボル長遅延部１６０２で、ＯＦＤＭ有効シンボル長遅延させ、図３３に示すように、コピー部分とガードインターバル部分とのタイミングを合わせる。そして、複素共役演算部１６０３にて複素共役をとって、受信信号と乗算し、さらに区間積分部１６０４によって、ガードインターバ長だけ区間積分することで、コピー部分とガードインターバル部分の相関値に応じて区間積分値にピークが生じる。この情報を基に、同期確立部１６０５で、キャリア周波数の同期や、信号のタイミング同期などの同期処理を実施する。一方、本実施の形態４のＯＦＤＭ受信装置１００４における同期部１５０５の構成図を図３４に示す。同期部１５０５は、相関算出部１６１１と同期確立部１６１５で構成され、相関算出部１６１１は、シンボル長遅延部１６１２と区間積分部１６１４と、乗算部１６１６と、同期確立部１６１５とから構成される。ＯＦＤＭ送信装置４の送信信号は、先述したように、シンボル番号ｐとシンボル番号ｐ＋１が複素共役の関係となっている。このため、シンボル長遅延部１６１２において、ガードインターバルを含むＯＦＤＭシンボル長遅延させることで、図３５に示すように、シンボル番号ｐとシンボル番号ｐ＋１との信号タイミングを合わせる。ここで、シンボル番号ｐ＋１は、シンボル番号ｐに対し、複素共役であるため、シンボル長遅延部１６１２で遅延させた信号に対して複素共役を取ることなく、乗算することで相関が算出可能である。そして、区間積分部１６１４によって、ＯＦＤＭシンボル長だけ区間積分することで、２シンボル間の相関値に応じて区間積分値にピークが生じる。この情報を基に、同期確立部１６１５で、キャリア周波数の同期や、信号のタイミング同期などの同期処理を実施する。
【０１１８】
合成等化部１２０１では、シンボル番号ｐ＋１が複素共役で配置されている点を考慮し、式１と異なり次の式６のように合成等化するが、これだけに限られない。
【０１１９】
【数６】
2014039089.tif 000008
【０１２０】
以上の構成とすることで、実施の形態１同様に、受信側における合成処理によって、周波数ダイバーシティ効果を最大限に発揮でき、隣接チャンネル妨害に対する耐性が向上し、安定した受信が可能となる。さらに、本実施の形態は、以下の効果もあわせ持つ。実施の形態１では、ガードインターバルの区間の相関を基に同期処理を実施していたが、本実施の形態では、ＯＦＤＭシンボル長での相関を基に同期処理が行え、相関算出に有効なサンプル数が増えるため、相関算出精度が向上し、同期処理の精度向上が期待できる。さらに、所望帯域内に狭帯域妨害が存在すると、実施の形態１における同期部１１０５では、ガードインターバルとコピー部分の相関演算において、狭帯域妨害波同士の相関も加わるため、相関を区間積分した際に値にオフセットが生じることとなり、ピークが検出しにくくなるが、本実施の形態では、時間領域信号が複素共役の信号となっており、複素共役を取ることなく乗算することでＯＦＤＭ信号の相関が得られ、一方で、狭帯域妨害波成分にとっては複素共役信号との乗算にならないため、区間積分後の値に、相関が出にくく、オフセットが生じにくく、ピークが検出しやすいという利点もある。
【０１２１】
なお、本実施の形態２におけるデータの配置は、図１５のようにセンターサブキャリアを除くサブキャリアを全て用いた構成としているが、これに限られず、図３６のように、一部のサブキャリアがパイロット信号であってもよく、さらに、図３７のように、パイロットがセンターに対して左右対称の配置でなくてもよい。ただし、シンボル番号ｐ＋１の時間領域信号が、シンボル番号ｐの時間領域信号に対して複素共役の関係とするために、シンボル番号ｐでパイロットだったサブキャリア位置「ｋ」に対し、シンボル番号ｐ＋１では、「−ｋ」のサブキャリア位置に複素共役のパイロットを配置する必要がある。
【０１２２】
また、シンボル番号ｐ＋１を複素共役としたが、シンボル番号ｐを複素共役として割り当てても良い。
【０１２３】
また、本実施の形態は、実施の形態３で示した、Ｉ軸Ｑ軸による再送信と組み合わせてもよい。
【０１２４】
（実施形態５）
本願発明のＯＦＤＭ受信装置の実施の形態５について、図３８〜図４０を参照して説明する。なお、図１〜図３７と同じ構成要素は同じ記号を用い、説明を省略する。なお、本実施の形態における送信装置は、実施の形態１のＯＦＤＭ送信装置１と同等とし、サブキャリアへの多値変調のマッピングとしては、図１１のように、サブキャリア番号「７」と「−７」にパイロットが存在するものとする。また、多値変調としては、ＢＰＳＫもしくはＱＰＳＫを用いるものとする。
【０１２５】
図３８は、本願発明の実施の形態５におけるＯＦＤＭ受信装置１００５の構成を示したブロック図である。ＯＦＤＭ受信装置１００５は、実施の形態１におけるＯＦＤＭ受信装置１００１と比較して、伝送路推定部１７０７における伝送路特性の推定に関して異なる。図３９に、伝送路特性推定部１７０７の構成を示す。
【０１２６】
伝送路特性推定部１７０７は、既知信号発生部１７１１と除算部１７１２とＣＰＥ算出部１７１３と、ＣＰＥ補正部１７１４とで構成される。既知信号発生部１７１１は、ＬＴＦの全サブキャリアにおけるパイロットや、データシンボルに含まれるサブキャリア番号「７」と「−７」におけるパイロット信号を発生し、除算部１７１２に出力し、受信信号を既知信号で除算することで、伝送路特性を推定する。ＬＴＦで算出した伝送路特性を、それ以降のデータシンボルの伝送路特性として使用する。ただし、キャリア周波数誤差が存在すると、シンボルが進むにつれ、サブキャリアに共通な位相回転が生じていくため、ＬＴＦで求めた伝送路特性に対し、位相回転の追従をする必要がある。この位相回転をＣＰＥ（Ｃｏｍｍｏｎ  Ｐｉｌｏｔ  Ｅｒｒｏｒ）と呼ぶ。ＣＰＥ算出部１７１３では、このＣＰＥを算出する。ＣＰＥ算出部１７１３では、サブキャリアに共通な位相回転を、各シンボルに存在するサブキャリア番号「７」と「−７」のパイロットの伝送路特性を用いて推定する。具体的には、シンボル番号ｐとシンボル番号ｐ＋１とで位相回転θが存在するとし、伝送路特性をＨとすると、次の式７で示すように、パイロットサブキャリア番号ｋに対し、シンボル間の伝送路特性の位相差を算出することで、サブキャリアに共通する位相回転量を算出する。
【０１２７】
【数７】
2014039089.tif 000009
【０１２８】
ここでは、サブキャリア番号「７」と「−７」の複数のパイロットがあるため、それぞれ算出した位相を次の式８のように平均して算出し、算出した位相回転に基づき、全サブキャリアの伝送路特性であるＬＴＦの伝送路特性に対し、ＣＰＥ補正部１７１４でシンボル毎に補正することで、全サブキャリアの伝送路特性の位相回転の追従を実施し、合成等化に使用する。
【０１２９】
【数８】
2014039089.tif 000010
【０１３０】
ここで、位相回転量の算出においては、サブキャリア番号「７」で算出した位相と、「−７」で算出した位相の平均を取ることで、精度を挙げている。しながら、パイロット信号がシンボル当たりに２つしかないため、平均による精度向上が大きく期待できない。そこで、本実施の形態においてＣＰＥ算出部１７１３では、パイロット以外の受信信号も用いてＣＰＥを算出する点が大きな特徴である。
【０１３１】
シンボル番号ｐとシンボル番号ｐ＋１とは、図１１で示したように送信されており、ここで、一例として、シンボル番号ｐのサブキャリア番号「１３」と「−１３」及びシンボル番号ｐ＋１のサブキャリア番号「１３」と「−１３」の受信信号を用いて説明する。ここでシンボル番号ｐとシンボル番号ｐ＋１とで位相回転をθとし、伝送路特性をＨとすると、受信信号は、Ｈと多値変調信号ｘ＿ｎとの乗算で表されることから、次の式９のように、受信信号を用いた演算により、位相回転が算出できる。
【０１３２】
【数９】
2014039089.tif 000011
【０１３３】
なお、式展開において、ＢＰＳＫもしくはＱＰＳＫであるため、多値変調信号の振幅ｒは、サブキャリアによらず同一とみなせる点を利用している。このようにして、他のサブキャリアに対しても、受信信号を用いて位相を算出し、平均して共通の位相回転を算出する。
【０１３４】
以上の構成により、繰返し送信の行われるシンボル番号ｐとシンボル番号ｐ＋１におけるパイロット以外の多くのデータキャリアの受信信号を用いて位相回転を算出することができるため、位相回転算出における平均の母数を増やすことができ、最終的な位相回転算出の精度が向上するため、ノイズ環境などにおいても、正しく位相追従ができ、高精度な等化処理が実施でき、安定した受信が可能となる。
【０１３５】
なお、本実施の形態では、パイロット位置を「７」及び「−７」としたが、これに限られず、いずれのサブキャリアでもよく、また、シンボル方向に渡って固定サブキャリアでなくてもよい。
【０１３６】
また、ＣＰＥを求めるために、全サブキャリアのデータを用いる構成としたが、これに限られず、一部の信号のみを用いてもよい。また、サブキャリアに対するデータ配置を図１２のようにｘ＿１からｘ＿２４までに亘って反転の配置としたが、図４０のように、サブキャリア番号０に対し、左右反転の関係となるペアが全体に対して一部のみであるデータ配置でもよく、この場合、そのペアとなる一部の信号を用いてＣＰＥ算出すればよい。
【０１３７】
また、本実施の形態は、実施の形態２で示した、同一シンボル内での繰返し送信や、実施の形態３で示したＩ軸Ｑ軸による再送信と組み合わせてもよい。
【０１３８】
（実施形態６）
本願発明のＯＦＤＭ送信装置および受信装置の実施の形態６について、図４１〜図４５を参照して説明する。なお、図１〜図４０と同じ構成要素は同じ記号を用い、説明を省略する。
【０１３９】
図４１に示すＯＦＤＭ送信装置６は、実施の形態１におけるＯＦＤＭ送信装置１と比較して、サブキャリア変調部２６における多値変調信号のサブキャリアへの配置に関して大きく異なる。図４２にサブキャリア変調部２６の構成を表す。サブキャリア変調部２６は、データ保持部１６１と多値変調部１６２と、サブキャリアアサイン部１６３とで構成される。
【０１４０】
データ保持部１６１では、サブキャリア変調部２６の入力データを後述する必要区間保持し、多値変調部１６２へ出力する。多値変調部１６２では、入力データを基に、ＢＰＳＫ、ＱＰＳＫなどにマッピングする。多値変調された信号は、サブキャリアアサイン部１６３へ入力され、サブキャリア番号に対し、所定の規則に基づき、それぞれ多値変調された信号ｘ＿ｎを配置し、逆フーリエ変換部１０４へ出力する。
【０１４１】
実施の形態１では、シンボル番号ｐとシンボル番号ｐ＋１に対し、同じデータを用いたが、本実施の形態６では、３つ以上のシンボルに亘って、同じデータを送信することに特徴がある。
【０１４２】
図４３に、シンボル番号ｐとシンボル番号ｐ＋１、およびシンボル番号ｐ＋２におけるサブキャリア番号に対する、多値変調信号の配置の規則を示す。図４３では、主に、シンボル番号ｐ＋１で伝送するｘ＿１〜ｘ＿２４までに特化して記載しており、シンボル番号ｐ及びシンボル番号ｐ＋２における空白のサブキャリアは、別のシンボルとペアとなる多値変調信号をアサインすることになるが、規則的には、以下に説明する内容に従う。
【０１４３】
まず、シンボル番号ｐとシンボル番号ｐ＋１に着目すると、パイロットを除くと、サブキャリア番号が、「−１３」「１３」や、「−１１」「１１」というように、１サブキャリアずつ飛びとびに、サブキャリア位置がシンボル間で反転であるペアとなるように配置されている。次にシンボル番号ｐ＋１とシンボル番号ｐ＋２に着目すると、パイロットを除いて考えると、サブキャリア番号が、「−１２」「１２」や「−１０」「１０」というように、先ほどのシンボル番号ｐとシンボル番号ｐ＋１とでペアとなったサブキャリア位置以外のサブキャリア位置を使って、サブキャリア位置がシンボル間で反転であるペアとなるように配置されている。このようにして、シンボル番号ｐ＋１の全サブキャリアに多値変調信号が並べられている。この規則に則り、シンボル番号ｐ＋２における空白のサブキャリアは、図示していないシンボル番号ｐ＋３のサブキャリア番号「−１３」「１３」や「−１１」「１１」とペアとなるように、シンボル番号ｐ＋３で伝送される多値変調信号の一部がアサインされる。
【０１４４】
以上の繰り返し方法を用いて、ＯＦＤＭ送信機６は、ＯＦＤＭ信号を生成し、送信を行う。
【０１４５】
図４４は、本願発明の実施の形態６におけるＯＦＤＭ受信装置１００６の構成を示したブロック図である。ＯＦＤＭ受信装置１００６は、実施の形態５におけるＯＦＤＭ受信装置１００５と比較して、送信フォーマットが実施の形態５と異なることに応じて、伝送路推定部１８０７における伝送路特性の推定に関して異なる。図４５に、ＯＦＤＭ受信装置１００６における伝送路特性推定部１８０７の構成を示す。
【０１４６】
伝送路特性推定部１８０７は、既知信号発生部１７１１と除算部１７１２とＣＰＥ算出部１８１３と、ＣＰＥ補正部１８１４とで構成される。ここでは、実施の形態５の伝送路特性推定部１７０７と比較して、ＣＰＥ算出部１８１３における、シンボルに対するＣＰＥ算出が異なる。実施の形態５におけるＣＰＥ算出部１７１３では、パイロットによるＣＰＥ算出に加え、データを用いてＣＰＥの算出を実施しているが、シンボル番号ｐとシンボル番号ｐ＋１を用いて、そのシンボル間の位相回転を算出し、シンボル番号ｐ＋２とシンボル番号ｐ＋３を用いて、そのシンボル間の位相回転を算出することとなり、シンボル番号ｐ＋１とシンボル番号ｐ＋２のシンボル間の位相回転は、データを用いて算出できずにパイロットによる算出のみとなる。これに対し、図４３の送信フォーマットに基づき、本発明の実施形態６におけるＣＰＥ算出部１８１３では、全シンボルにわたり、データを用いてシンボル間の位相回転を算出する。例えば、シンボル番号ｐとシンボル番号ｐ＋１における位相回転量は、サブキャリア番号「−１３」「１３」や、「−１１」「１１」などで算出し、シンボル番号ｐ＋１とシンボル番号ｐ＋２における位相回転量は、サブキャリア番号「−１２」「１２」や、「−１０」「１０」などで算出する。算出した位相回転は、シンボル内で平均し、ＣＰＥ補正部１８１４で、ＬＴＦで算出した伝送路特性に対し、位相補正を実施する。
【０１４７】
以上の構成により、繰返し送信の行われるシンボル番号ｐとシンボル番号ｐ＋１におけるパイロット以外の多くのデータキャリアの受信信号を用いて位相回転を算出することができ、さらにシンボル番号ｐ＋１及びシンボル番号ｐ＋２においてもパイロット以外の多くのデータキャリアの受信信号を用いて位相回転を算出することができるため、いずれのシンボルにおいても、位相回転算出における平均の母数を増やすことができ、最終的な位相回転算出の精度が向上するため、ノイズ環境などにおいても、正しく位相追従ができ、高精度な等化処理が実施でき、安定した受信が可能となる。
【０１４８】
なお、図４３では、パイロットを含む構成としているが、いずれのシンボルにおいてもデータを用いてＣＰＥを算出できることから、パイロットを削除してもよい。また、シンボル番号ｐがＬＴＦのすぐ後の信号の場合、図４３の空白のサブキャリアは、ＬＴＦのパイロット信号とペアとなるように、ＬＴＦパイロットを繰返し送信としてアサインしてもよいし、ダミーサブキャリアとして、ダミー値（たとえばビットを０とする）としてアサインしてもよい。
【０１４９】
なお、実施の形態１〜６で示したＯＦＤＭ送信装置および受信装置においては、繰返し送信として、シンボル番号ｐ及びシンボル番号ｐ＋１と、連続するシンボルを用いた繰返し送信の配置として記載したが、これに関わらず、シンボル番号ｐ及びシンボル番号ｐ＋２でデータ群を繰返し送信し、シンボル番号ｐ＋１とシンボル番号ｐ＋３とで別のデータ群を繰返し送信をする、というように、連続しない配置としてもよい。さらには、Ｎシンボルに亘ってデータ群を送信し、続くＮシンボルに亘って同じデータ群を送信する、というようなシンボル群として繰返し送信を行うようにしてもよい。
【０１５０】
なお、実施の形態１〜６で示したＯＦＤＭ送信装置および受信装置においては、妨害源として隣接チャンネルからの漏れこみ信号に着眼して説明を行ったが、これに限られない。例えば、同一チャンネル内に存在するスプリアスなどに対し、本発明を適用してもよい。
【０１５１】
なお、実施の形態１〜６で示したＯＦＤＭ送信装置および受信装置においては、多値変調信号を２回送信する、という構成で説明を実施したが、これに限られず、複数回であれば何回でもよい。さらに、例えば、反転の配置で２回送信し、その反転の関係のペア群を、そのままの配置で再び繰返し、送信を計４回するといった構成としてもよい。
【０１５２】
なお、実施の形態１〜６で示したＯＦＤＭ送信装置および受信装置においては、データシンボルだけでなく、パイロットシンボルであるＳＴＦやＬＴＦに対して適用してもよい。
なお、実施の形態１〜６で示したＯＦＤＭ送信装置と受信装置を装置として分けて記載しているが、これに限定されず、記載した送信処理と受信処理を両方持つ装置として構成してもよく、その際、送信処理に纏わる各構成要素と、受信処理に纏わる各構成要素の少なくとも一部を共用とする構成としてもよい。
【０１５３】
また、実施の形態１〜６におけるＯＦＤＭ送信装置および受信装置の各構成要素は、集積回路であるＬＳＩで実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセサで実現してもよい。また、集積回路化の手法はＬＳＩに限られるものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。バイオ技術の適用等が可能性としてあげられる。
【０１５４】
また、上記の核実施の形態で示した受信装置の動作の手順の少なくとも一部を受信プログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよいし、上記プログラムを記録媒体に保存して頒布等するようにしてもよい。
【０１５５】
また、実施の形態１〜６のＯＦＤＭ送信装置および受信装置は、記載した送信処理もしくは受信処理の少なくとも一部を行う送信方法または受信方法を用いて実現してもよい。
【０１５６】
また、実施の形態１〜６を実現する送信処理または受信処理の一部を行ういかなるＯＦＤＭ送信装置、送信方法、送信回路、受信装置、又は受信方法、又は受信回路、又はプログラムを組み合わせて実施の形態１〜６を実現してもよい。例えば、上記の各実施の形態で説明した受信装置の構成の一部を受信装置又は集積回路で実現し、その一部を除く構成が行う動作の手順を受信プログラムに記載し、例えばＣＰＵがメモリに記憶された当該プログラムを読み出して実行することによって実現してもよい。
【０１５７】
また、本実施の形態１〜６は、規格策定中の８０２．１１ａｈ方式について言及したが、これに限られない。
【産業上の利用可能性】
【０１５８】
本願発明にかかるＯＦＤＭ送信装置および受信装置は、繰返し送信時におけるデータ配置により、隣接チャンネルからの妨害に対し、伝送誤りを低減する効果を有し、今後の次世代無線ＬＡＮをはじめとした分野において有益である。
【符号の説明】
【０１５９】
１  ＯＦＤＭ送信装置
２  ＯＦＤＭ送信装置
３  ＯＦＤＭ送信装置
４  ＯＦＤＭ送信装置
６  ＯＦＤＭ送信装置
１１  ＯＦＤＭ復調部
１２  ＯＦＤＭ復調部
１３  ＯＦＤＭ変調部
１４  ＯＦＤＭ変調部
１６  ＯＦＤＭ変調部
２１  サブキャリア変調部
２２  サブキャリア変調部
２３  サブキャリア変調部
２４  サブキャリア変調部
２６  サブキャリア変調部
１０１  誤り訂正符号化部
１０２  インターリーブ部
１０３  同期信号生成部
１０４  逆フーリエ変換部
１０５  ガードインターバル付加部
１０６  シンボル整形部
１０７  Ｄ／Ａ変換部
１０８  ＲＦ出力部
１０９  アンテナ
１１１  データ保持部
１１２  多値変調部
１１３  サブキャリアアサイン部
１２１  データ保持部
１２３  サブキャリアアサイン部
１３１  データ保持部
１３２  Ｉ／Ｑ再送ＱＰＳＫ変調部
１３３  サブキャリアアサイン部
１３４  変調信号保持部
１４３  サブキャリアアサイン部
１６１  データ保持部
１６２  多値変調部
１６３  サブキャリアアサイン部
１００１  ＯＦＤＭ受信装置
１００２  ＯＦＤＭ受信装置
１００３  ＯＦＤＭ受信装置
１００４  ＯＦＤＭ受信装置
１００５  ＯＦＤＭ受信装置
１００６  ＯＦＤＭ受信装置
１０１１  ＯＦＤＭ復調部
１０１２  ＯＦＤＭ復調部
１０１３  ＯＦＤＭ復調部
１０１４  ＯＦＤＭ復調部
１０１５  ＯＦＤＭ復調部
１０１６  ＯＦＤＭ復調部
１１０１  アンテナ
１１０２  チューナ
１１０３  Ａ／Ｄ変換部
１１０４  直交変換部
１１０５  同期部
１１０６  フーリエ変換部
１１０７  伝送路特性推定部
１１０８  妨害検出部
１１０９  デマッパ部
１１１０  デインターリーブ部
１１１１  誤り訂正部
１２０１  合成等化部
１２０２  合成等化部
１２１１  データ保持部
１２１２  合成演算部
１２２１  データ保持部
１２２２  合成演算部
１４０１  ＩＱ合成部
１４１１  データ保持部
１４１２  合成演算部
１５０５  同期部
１６０１  相関算出部
１６０２  有効シンボル長遅延部
１６０３  複素共役演算部
１６０４  区間積分部
１６０５  同期確立部
１６０６  乗算部
１６１１  相関算出部
１６１２  シンボル長遅延部
１６１４  区間積分部
１６１５  同期確立部
１６１６  乗算部
１７０７  伝送路特性推定部
１７１１  既知信号発生部
１７１２  除算部
１７１３  ＣＰＥ算出部
１７１４  ＣＰＥ補正部
１８０７  伝送路特性推定部
１８１３  ＣＰＥ算出部
１８１４  ＣＰＥ補正部
【図１】
2014039089.tif 000012
【図２】
2014039089.tif 000013
【図５】
2014039089.tif 000014
【図６】
2014039089.tif 000015
【図７】
2014039089.tif 000016
【図８】
2014039089.tif 000017
【図９】
2014039089.tif 000018
【図１０】
2014039089.tif 000019
【図１４】
2014039089.tif 000020
【図１５】
2014039089.tif 000021
【図１６】
2014039089.tif 000022
【図１７】
2014039089.tif 000023
【図１８】
2014039089.tif 000024
【図２２】
2014039089.tif 000025
【図２３】
2014039089.tif 000026
【図２４】
2014039089.tif 000027
【図２５】
2014039089.tif 000028
【図２６】
2014039089.tif 000029
【図２７】
2014039089.tif 000030
【図２８】
2014039089.tif 000031
【図２９】
2014039089.tif 000032
【図３０】
2014039089.tif 000033
【図３１】
2014039089.tif 000034
【図３２】
2014039089.tif 000035
【図３４】
2014039089.tif 000036
【図３８】
2014039089.tif 000037
【図３９】
2014039089.tif 000038
【図４１】
2014039089.tif 000039
【図４２】
2014039089.tif 000040
【図４４】
2014039089.tif 000041
【図４５】
2014039089.tif 000042
【図４７】
2014039089.tif 000043
【図５０】
2014039089.tif 000044
【図３】
2014039089.tif 000045
【図４】
2014039089.tif 000046
【図１１】
2014039089.tif 000047
【図１２】
2014039089.tif 000048
【図１３】
2014039089.tif 000049
【図１９】
2014039089.tif 000050
【図２０】
2014039089.tif 000051
【図２１】
2014039089.tif 000052
【図３３】
2014039089.tif 000053
【図３５】
2014039089.tif 000054
【図３６】
2014039089.tif 000055
【図３７】
2014039089.tif 000056
【図４０】
2014039089.tif 000057
【図４３】
2014039089.tif 000058
【図４６】
2014039089.tif 000059
【図４８】
2014039089.tif 000060
【図４９】
2014039089.tif 000061
【図５１】
2014039089.tif 000062
【図５２】
2014039089.tif 000063
【図５３】
2014039089.tif 000064